(57)【要約】【課題】本発明は巻き芯のバンド端挿入用間隙に挿入されたバンド端を強圧的に把持でき、強固な巻き締め力が得られるバンド巻き締め具を提供する。【解決手段】第一、第二巻き取り芯材１４，１５を備え、該第一、第二巻き取り芯材１４，１５の各一端は相互に結合して結合端Ｐ１を形成していると共に、同結合端Ｐ１から相互に遊離しつつ延在し各他端は遊離端Ｐ２，Ｐ３を形成しており、該第一巻き取り芯材１４の遊離端Ｐ２に与えた回動力を上記結合端Ｐ１を介して第二巻き取り芯材１５に伝達する構成を有し、該第一、第二巻き取り芯材１４，１５間に巻き締め用バンド３の端部を挿入するバンド端挿入用間隙１７を形成し、上記第一巻き取り芯材１４の回動力を上記結合端Ｐ１を介して第二巻き取り芯材１５に与え、上記間隙１７にバンド端３ａを挿入した巻き締め用バンド３を該第一、第二巻き取り芯材１４，１５の周囲に巻回する構成を有するバンド巻き締め具。【選択図】        図８
2010117017.tif 000002
【特許請求の範囲】
【請求項１】
第一巻き取り芯材と第二巻き取り芯材を備え、該第一、第二巻き取り芯材の各一端は相互に結合して結合端を形成していると共に、同結合端から相互に遊離しつつ延在し各他端は遊離端を形成しており、該第一巻き取り芯材の遊離端に与えた回動力を上記結合端を介して第二巻き取り芯材に伝達する構成を有し、該第一、第二巻き取り芯材間に巻き締め用バンドの端部を挿入するバンド端挿入用間隙を形成し、上記第一巻き取り芯材の回動に伴う上記結合端を介しての第二巻き取り芯材の回動により上記バンド端挿入用間隙にバンド端を挿入した巻き締め用バンドを該第一、第二巻き取り芯材の周囲に巻回する構成を有することを特徴とするバンド巻き締め具。
【請求項２】
対向する第一、第二側板を有するハウジングと、棒材から成る巻き取り軸と、該巻き取り軸と並列配置された細長板材から成る巻き取り板とを備え、上記巻き取り軸と巻き取り板の各一端は相互に結合して結合端を形成していると共に、同結合端から相互に遊離しつつ延在し各他端は遊離端を形成しており、上記結合端を上記第一側板に設けた第一支持孔に貫挿して規制し、上記各遊離端を上記第二側板に設けた第二支持孔に貫挿して規制すると共に、上記巻き取り軸の遊離端に設けたヘッド部を上記第二支持孔の外側孔縁と係止状態に配置し、該巻き取り軸のヘッド部の回動操作による回動力を上記結合端を介して上記巻き取り板に伝達する構成を有し、上記巻き取り軸と巻き取り板間に巻き締め用バンドの端部を挿入するバンド端挿入用間隙を形成し、上記巻き取り軸の回動に伴う上記結合端を介しての巻き取り板の回動により上記バンド端挿入用間隙にバンド端を挿入した巻き締め用バンドを該巻き取り軸と巻き取り板の周囲に巻回する構成を有することを特徴とするバンド巻き締め具。
【請求項３】
上記巻き取り軸が周面に雄ねじ山を有することを特徴とする請求項２記載のバンド巻き締め具。
【請求項４】
上記巻き取り板の遊離端に上記第二支持孔の外側孔縁と係止状態に配置したヘッド部を設けたことを特徴とする請求項２記載のバンド巻き締め具。
【発明の詳細な説明】
【技術分野】
【０００１】
本発明は巻き締め用バンドを巻き締めするためのバンド巻き締め具に関する。例えば空調用の単位ダクト間を接続する接続筒の気密接続を図る巻き締め具に係る。
【背景技術】
【０００２】
図３に示すように、空調用ダクトは断熱構造の可撓性を有する単位ダクト１間を接続筒２を介して接続し、長径路のダクトを形成している。
【０００３】
上記単位ダクト１と接続筒２を気密構造にするため、隣接する単位ダクト１の両端開口部内に接続筒２を挿入し、該接続筒２を挿入したダクト１の端部外周面を巻き締め用バンド３で締め付け、ダクト１と接続筒２とを気密封止する方法を採っている。
【０００４】
従来、上記巻き締め用バンド３を巻き締めする巻き締め具４は、図２に示すように、実質一本の巻き取り軸５の軸線に沿いバンド挿入溝６を設け、他方連結板１３の両側から第一、第二側板７，８を対向して立ち上げたハウジング９を形成し、上記巻取り軸５の両端を上記第一、第二側板７，８に設けた第一、第二支持孔１０，１１に貫挿し、巻き取り軸５の両端に設けたストッパー１２を第一、第二支持孔１０，１１の外側孔縁と係合して抜け止めを図り、巻き締め用バンド３の一端をハウジング９の連結板１３に係止すると共に、上記バンド挿入溝６に巻き締め用バンド３の他端を挿入し、巻き取り軸５を回動操作することにより該巻き取り軸５の周囲に巻き締め用バンド３を巻回し巻き締めする構成としている。
【発明の開示】
【発明が解決しようとする課題】
【０００５】
この種バンド巻き締め具においては、巻き締め後に緩みが発生しないこと、即ち強固な巻き締めが得られて、それが長期間維持されることが求命題となる。
【０００６】
然しながら、実質一本の巻取り軸の周面にバンドを巻き取る基本構造を採用する限り、原理的に巻き締め方向と逆方向の力によって、巻き取り軸が逆転して緩みが発生する現象を禁じえず、巻き締め力の向上、緩み止め効果に限界を有している。
【０００７】
本発明は上記実質一本の巻取り軸の周囲に巻き締め用バンドを巻回する巻き締め構造を抜本的に改め、より強固な巻き締め力が得られて且つ該強固な巻き締め力を健全に維持することができるバンド巻き締め具を提供することを目的としている。
【課題を解決するための手段】
【０００８】
本発明に係るバンド巻き締め具は、並列配置した第一巻き取り芯材と第二巻き取り芯材を備え、該第一、第二巻き取り芯材の各一端は相互に結合して結合端を形成していると共に、同結合端から相互に遊離しつつ延在し各他端は遊離端を形成しており、該第一巻き取り芯材の遊離端に与えた回動力を上記結合端を介して第二巻き取り芯材に伝達する構成を有する。
【０００９】
上記第一、第二巻き取り芯材間に形成されたバンド端挿入用間隙に巻き締め用バンドの端部を挿入し、上記第一巻き取り芯材の回動に伴う上記結合端を介しての第二巻き取り芯材の回動により上記バンド端挿入用間隙にバンド端を挿入した巻き締め用バンドを該第一、第二巻き取り芯材の周囲に巻回し、対象物、例えば図３に示した単位ダクトと接続筒をバンド締めする構成を基本思想として内在している。
【００１０】
上記基本思想に基づく具体例として、以下に述べるバンド巻き締め具を提供する。
【００１１】
上記バンド巻き締め具は、対向する第一、第二側板を有するハウジングと、棒材から成る巻き取り軸と、該巻き取り軸と並列配置された細長板材から成る巻き取り板とを備える。
【００１２】
上記第一巻き取り芯材は上記巻き取り軸に相当し、上記第二巻き取り芯材は上記巻き取り板に相当する。
【００１３】
上記巻き取り軸と巻き取り板の各一端は相互に結合して結合端を形成していると共に、同結合端から相互に遊離しつつ延在し各他端は遊離端を形成している。
【００１４】
上記結合端は上記第一側板に設けた第一支持孔に貫挿して規制し、上記各遊離端を上記第二側板に設けた第二支持孔に貫挿して規制すると共に、巻き取り軸の遊離端に設けたヘッド部を上記第二支持孔の外側孔縁と係止状態に配置する。
【００１５】
上記巻き取り軸はヘッド部を工具を用いて回動操作することにより回動され、該巻き取り軸の回動力を上記結合端を介して上記巻き取り板に伝達し、これを回動せしめる構成を有する。
【００１６】
上記巻き取り軸と巻き取り板間に形成したバンド端挿入用間隙に巻き締め用バンドの端部を挿入し、上記巻き取り軸の回動に伴う上記結合端を介しての上記巻き取り板の回動により上記巻き締め用バンドを該巻き取り軸と巻き取り板の周囲に巻回する構成を有する。
【００１７】
上記巻取り軸として周面に雄ねじ山を有する既存の螺子を用いることができる。巻き締め用バンドのバンド端は該雄ねじ山と接して上記巻回がなされる。
【００１８】
上記巻き取り板の一端に上記第二支持孔の外側孔縁と係止状態に配置したヘッド部を設ける。上記巻き取り軸のヘッド部は上記バンド巻回時に第二側板に側圧を与えつつ同巻回がなされる。
【００１９】
又巻き取り板は上記バンド巻回に伴い捩れ変形し、該捩れ変形に伴い、内方へ移動してヘッド部を第二側板に当接する。該当接と同時に第二側板に側圧を与えることを妨げない。
【００２０】
上記側圧によって第二側板を内方へ変位することによってバンドのエッジに圧力的に接触させることができる。本発明はこの第二側板の内方変位を不可欠としない。
【発明の効果】
【００２１】
本発明によれば、第一又は／及び第二巻き取り芯材が結合端を支点としてバンド端挿入用間隙を狭める方向に変位してバンド端を強圧的に把持でき、強固な巻き締め力が得られる。
【００２２】
又第二巻き取り芯材がバンド巻回に伴い、結合端を支点として巻き取り方向と逆方向に捩れ変位し、上記第一、第二巻き取り芯材間における上記バンド端把持力を増強することができる。
【００２３】
この効果は第二巻き取り芯材を板材にて形成することにより助長される。即ち剛性を有する巻き取り軸の回動に伴い、結合端において結合された比較的変形が容易な巻き取り板が巻き取り軸の周りに捩れ変形を来し、巻き取り板のバンド端に対する喰い付き力が増強され、バンド把持力を高めることができる。
【発明を実施するための最良の形態】
【００２４】
以下本発明を実施するための最良の形態を図４乃至図１１に基づき説明する。
【００２５】
本発明に係るバンド巻き締め具４は図４，図５に示す基本思想に基づいており、これについて以下説明する。
【００２６】
上記巻き締め具４は図４，図５に示すように、並列配置した第一巻き取り芯材１４と第二巻き取り芯材１５を備え、両者１４，１５にて巻き芯を構成している。
【００２７】
上記第一、第二巻き取り芯材１４，１５は各一端において相互に結合して結合端Ｐ１を形成し、同結合端Ｐ１から他端へ向け相互に遊離しつつ延在し、該他端において遊離端Ｐ２，Ｐ３を形成している。
【００２８】
巻き締め用バンド３は第一巻き取り芯材１４の遊離端Ｐ２を回動操作することにより同巻き取り芯材１４を回動し、該回動力は上記結合端Ｐ１を介して第二巻き取り芯材１５に伝達され、同巻き取り芯材１５を回動する。従って第一巻き取り芯材１４の遊離端Ｐ２は工具を用いて回動操作される回動操作部を形成している。
【００２９】
上記第一、第二巻き取り芯材１４，１５の互いに遊離する延在部間には巻き締め用バンド３の端部を挿入するバンド端挿入用間隙１７を形成し、該第一巻き取り芯材１４の回動に伴う上記結合端Ｐ１を介しての第二巻き取り芯材１５の回動により上記バンド端挿入用間隙１７にバンド端３ａを挿入した巻き締め用バンド３を該第一、第二巻き取り芯材１４，１５の周囲に巻回し、対象物をバンド締めする構成を基本思想として内在している。
【００３０】
上記バンド巻き締め具４はハウジング２０内に組み立てられる。該ハウジング２０は連結板２６の平行な二辺から立ち上げられた対向する第一、第二側板１８，１９を有し、上記第一、第二巻き取り芯材１４，１５の結合端Ｐ１を第一側板１８に設けた第一支持孔２１に貫挿して規制し、同各遊離端Ｐ２，Ｐ３を第二側板１９に設けた第二支持孔２２に貫挿して規制する。
図３に基づき説明したように、空調用ダクトは断熱構造の可撓性を有する単位ダクト１を接続筒２を介して接続し、長径路のダクトを形成している。
【００３１】
上記単位ダクト１と接続筒２を気密構造にするため、隣接する単位ダクト１の両端開口部内に接続筒２を挿入し、該接続筒２を挿入したダクト１の端部外周面を巻き締め用バンド３で締め付け、ダクト１と接続筒２とを気密封止する方法を採っている。
【００３２】
上記図４，図５に示したバンド巻き締め具４、並びに図６以降に示したバンド巻き締め具４は、上記空調用ダクトにおける単位ダクト１と接続筒２の気密構造を形成するための巻き締め具４として好適に用いられる。
【００３３】
本発明に係る上記第一、第二巻き取り芯材１４，１５は、図５に示すように、バンド巻き取り時に何れか一方又は双方が結合端Ｐ１を支点としてバンド端挿入用間隙１７を狭める方向に捩れ変位し、バンド端挿入用間隙１７に挿入されたバンド端３ａを強力に把持しつつ、第一、第二巻き取り芯材１４，１５の周囲に巻き締めバンド３を巻回し緩みのない巻き締めを得る。
【００３４】
上記基本思想に基づく具体例として、図６乃至図１１に示すバンド巻き締め具４を提供する。
【００３５】
上記バンド巻き締め具４は連結板２６の平行な二辺から立ち上げられた対向する第一、第二側板１８，１９を有するハウジング２０と、比較的剛性を有する棒材から成る巻き取り軸１４′と、該巻き取り軸１４′と並列配置されたバンド巻き取り時に変形可能な細長板材から成る巻き取り板１５′とを備える。
【００３６】
上記第一巻き取り芯材１４は上記巻き取り軸１４′に相当し、上記第二巻き取り芯材１５は上記巻き取り板１５′に相当する。
【００３７】
上記巻き取り軸１４′と巻き取り板１５′とは各一端を相互に結合して結合端Ｐ１を形成し、同結合端Ｐ１から相互に遊離しつつ延在して各他端において遊離端Ｐ２，Ｐ３を形成している。
【００３８】
上記結合端Ｐ１は上記第一側板１８に設けた第一支持孔２１に貫挿して規制し、上記各遊離端Ｐ２，Ｐ３を上記第二側板１９に設けた第二支持孔２２に貫挿して規制すると共に、巻き取り軸１４′の遊離端Ｐ２に設けたヘッド部２３を上記第二支持孔２２の外側孔縁と係止状態に配置する。
【００３９】
上記巻き取り軸１４′の遊離端Ｐ２にヘッド部２３を設けると共に、上記巻き取り板１５′の遊離端に上記第一支持孔２１の外側孔縁と係止状態に配置したヘッド部２５を設け、両ヘッド部２３，２５を上記第二支持孔２２の外側孔縁と係止状態に配置する。
【００４０】
巻き締め用バンド３は一端をハウジング２０の連結板２６の縁に折曲して係合し、他端を上記バンド端挿入用間隙１７に挿入し、ヘッド部２３を回動操作することにより、バンド巻回を行う。図４，図５に示す基本構造例においても同様である。
【００４１】
上記巻き取り軸１４′のヘッド部２３は上記バンド巻回時に第二側板１９に側圧を与えつつ同巻回がなされる。即ち、巻き取り軸１４′（第一巻き取り芯材１４）の一端に巻き取り板１５′（第二巻き取り芯材１５）の一端を結合して各他端を遊離端Ｐ２，Ｐ３とし、両者間に形成されたバンド端挿入用間隙１７にバンド端３ａを挿入して巻き締めする構成により、巻き締めの進行に従って巻き取り軸１４′（第一巻き取り芯材１４）は自ずと結合端Ｐ１へ向け引張力が生起し、巻き取り軸１４′を結合端Ｐ１へ向け移動せしめる。
【００４２】
この結果ヘッド部２３が第二側板１９を押圧し内方へ変位せしめる現象が惹起される。但し本発明はこの第二側板１９の内方変位を限定要件としない。
【００４３】
又巻き取り板１５′は上記バンド巻回に伴い捩れ変形し、該捩れ変形に伴い内方へ移動してヘッド部２５を第二側板１９に当接する。即ち巻き取り板１５′は捩れ変形に伴い結合端Ｐ１へ向け引っ張られ、ヘッド部２５を第二側板１９に当接する。このヘッド部２５の当接時に第二側板１９に側圧を与え、ヘッド部２３と協働して側板１９を内方変位させることを妨げない。
【００４４】
上記側圧により第二側板１９を内方へ変位することによって、第二側板１９内面をバンド３のエッジに圧力的に接触させることができる。バンド３の幅は第一、第二側板１９，２０間の間隔と略同一であり、側板１８又は／及び１９が内方変位することによって上記バンドエッジとの食い付きが必然的に得られる。本発明は側板１８又は／及び１９を内方変位してバンドエッジと食い付かせることを限定要件としない。
【００４５】
上記巻き取り軸１４′のヘッド部２３の頂面にはプラス又はマイナス溝から成るドライバー係合溝２７を設け、該回動工具たるドライバーをドライバー係合溝２７に係合して回動操作することができるようにする。
【００４６】
又はヘッド部２３の外形を回動工具たるレンチと嵌合する角形形状にし、該レンチにより巻き取り軸１４′のヘッド部２３を回動操作して巻き取り軸１４′を回動し、該回動力を上記結合端Ｐ１を介して上記巻き取り板１５′に伝達し、これを回動せしめる構成にする。
【００４７】
上記巻き取り軸１４′と巻き取り板１５′間にバンド端挿入用間隙１７を形成し、該バンド端挿入用間隙１７に巻き締め用バンド３の端部３ａを挿入し、上記巻き取り軸１４′の回動に伴う上記結合端Ｐ１を介しての上記巻き取り板１５′の回動により上記巻き締め用バンド３を該巻き取り軸１４′と巻き取り板１５′の周囲に巻回する構成にする。
【００４８】
上記巻き取り板１５′は結合端Ｐ１を支点として巻き取り軸１４′との間で形成するバンド端挿入用間隙１７を狭める方向に変位してバンド端３ａを圧力的に把持でき、強固な巻き締め力が得られる。
【００４９】
又巻き取り板１５′はバンド巻回に伴い、結合端Ｐ１を支点として巻き取り軸１４′の周囲に巻き取り方向と逆方向に捩れ変形しつつ変位し、上記巻き取り軸１４′と巻き取り板１５′間における上記バンド端把持力を増強する。
【００５０】
即ち剛性を有する巻き取り軸１４′の回動に伴い、結合端Ｐ１において結合された比較的変形が容易な巻き取り板１５′が巻き取り軸１４′の周りに捩れ変形を来し、巻き取り板１５′のバンド端３ａに対する喰い付き力が増強される。
【００５１】
上記巻取り軸１４′としては周面が平滑な巻き取りピンを用いることができる。又は上記巻き取り軸１４′として周面に雄ねじ山２４を有する既存の螺子を用いることができる。
【００５２】
上記雄ねじ山２４を有する巻き取り軸１４′を用いた場合、巻き締め用バンド３のバンド端３ａは該雄ねじ山２４と接して摩擦係合し上記巻回がなされる。
又上記雄ねじ山２４を巻き取り軸１４′の略全長に設け、雄ねじ山２４が第一，第二支持孔２１，２２の内周面と摩擦係合する構成にすることができる。
【００５３】
上記バンド巻回時に上記雄ねじ山２４は第一，第二支持孔２１，２２と摩擦係合しつつ、ヘッド部２３又は／及び２５がこれと協働して第二側板１９を押圧し、該第一側板１８と第二側板１９との対向間隔を狭める方向に変位することができ、これによりバンド把持力の更なる向上を図ることができる。
【図面の簡単な説明】
【００５４】
【図１】従来例におけるバンド巻き締め具の斜視図。
【図２】図１に示す上記従来のバンド巻き締め具の横断面図。
【図３】空調用単位ダクト間を接続筒を介して接続し、バンド巻き締め具により締め付け気密封止した状態を示す側面図。
【図４】本発明に係るバンド巻き締め具の基本思想を表す図であり、巻き締め用バンドの巻回前の状態を示す横断面図。
【図５】本発明に係る上記バンド巻き締め具の基本思想を表す図であり、巻き締め用バンドの巻回後の状態を示す横断面図。
【図６】図４、図５に示す基本思想に基づいて構成されたバンド巻き締め具の具体例を示す斜視図。
【図７】図６のバンド巻き締め具の巻き取り軸と巻き取り板から成る巻き芯の斜視図。
【図８】上記図６のバンド巻き締め具をバンド巻回前（巻き締め前）の状態を以って示す横断面図。
【図９】図６のバンド巻き締め具の巻き芯にバンドを巻き締めした場合における巻き取り板の捩れ変形状態を示す斜視図。
【図１０】上記図６のバンド巻き締め具をバンド巻回後（巻き締め後）の状態を以って示す横断面図。
【図１１】Ａは図６のバンド巻き締め具にバンド端を挿入した状態を示す縦断面図、Ｂはバンド巻き締め完了状態を示す縦断面図。
【符号の説明】
【００５５】
３…巻き締め用バンド、３ａ…バンド端、４…バンド巻き締め具、１４…第一巻き取り芯材、１４′…巻き取り軸、１５…第二巻き取り芯材、１５′…巻き取り板、１７…バンド端挿入用間隙、１８…第一側板、１９…第二側板、２０…ハウジング、２１…第一支持孔、２２…第二支持孔、２３…ヘッド部、２４…雄ねじ山、２５…ヘッド部、２６…連結板、２７…ドライバー係合溝、Ｐ１…結合端、Ｐ２，Ｐ３…遊離端。
【図１】
2010117017.tif 000003
【図２】
2010117017.tif 000004
【図３】
2010117017.tif 000005
【図４】
2010117017.tif 000006
【図５】
2010117017.tif 000007
【図６】
2010117017.tif 000008
【図７】
2010117017.tif 000009
【図８】
2010117017.tif 000010
【図９】
2010117017.tif 000011
【図１０】
2010117017.tif 000012
【図１１】
2010117017.tif 000013
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
対向する第一、第二側板を有するハウジングと、棒材から成る巻き取り軸と、該巻き取り軸と並列配置された細長板材から成る巻き取り板とを備え、上記巻き取り軸と巻き取り板の各一端は相互に結合して結合端を形成していると共に、同結合端から相互に遊離しつつ延在し各他端は遊離端を形成しており、上記結合端を上記第一側板に設けた第一支持孔に貫挿して規制し、上記各遊離端を上記第二側板に設けた第二支持孔に貫挿して規制すると共に、上記巻き取り軸の遊離端に設けたヘッド部を上記第二支持孔の外側孔縁と係止状態に配置すると共に、上記巻き取り板の遊離端に設けたヘッド部を上記第二支持孔の外側孔縁と係止状態に配置し、上記巻き取り軸のヘッド部の回動操作による回動力を上記結合端を介して上記巻き取り板に伝達する構成を有し、上記巻き取り軸と巻き取り板間に巻き締め用バンドの端部を挿入するバンド端挿入用間隙を形成し、上記巻き取り軸の回動に伴う上記結合端を介しての巻き取り板の回動により上記バンド端挿入用間隙にバンド端を挿入した巻き締め用バンドを該巻き取り軸と巻き取り板の周囲に巻回すると共に、上記巻き取り板が上記バンド巻回に伴い捩れ変形し上記バンド端に対し喰い付く構成を有することを特徴とするバンド巻き締め具。
【請求項２】
上記巻き取り軸が周面に雄ねじ山を有することを特徴とする請求項１記載のバンド巻き締め具。